(57)【要約】【課題】健康に関心の低い歩行者であっても、楽しみながら階段を利用できるようにする。【解決手段】階段利用促進システム１は、歩行者が保持するＩＤカード２から歩行者の歩行者ＩＤを取得し、取得した歩行者ＩＤと対応付けられた歩行者の階段利用履歴情報に応じた映像を複数の映像の中から選択し、選択した映像が階段を昇る歩行者に提示されるように映像を表示する映像装置を制御する。【選択図】図１
2019114145.tif 000002
【特許請求の範囲】
【請求項１】
歩行者が保持し、歩行者の個人情報が記憶されている個人情報記憶素子から歩行者の個人情報を取得する取得装置と、
階段を昇る歩行者から見える位置に、歩行者に向けた映像を提示する映像装置と、
前記取得装置で取得された個人情報と対応付けられた歩行者の階段を昇った履歴を表す階段利用履歴情報に応じた映像を、複数の映像の中から選択する選択手段、及び前記選択手段で選択された映像が、前記取得装置で歩行者の個人情報が取得された階段を昇る歩行者に提示されるように前記映像装置を制御する制御手段を備えた制御装置と、
を有する階段利用促進システム。
【請求項２】
歩行者が階段の予め定めた箇所を通過していることを検知する検知センサを備え、
前記制御手段は、前記検知センサで歩行者が検知された場合に、前記選択手段で選択された映像が、前記検知センサで検知された歩行者に提示されるように前記映像装置を制御する
請求項１記載の階段利用促進システム。
【請求項３】
前記取得装置は、歩行者が保持している気圧センサから気圧値を更に取得し、
前記制御装置の前記制御手段は、前記取得装置で取得した気圧値から歩行者が階段を昇っているか否かを判定する
請求項１又は請求項２記載の階段利用促進システム。
【請求項４】
前記取得装置によって予め定めた期間内に歩行者の個人情報が複数取得された場合、前記制御装置の前記選択手段は、前記取得装置で取得された各々の個人情報と対応付けられた複数の歩行者の関係性に応じて、歩行者に達成感を与える映像を複数の映像の中から選択する
請求項１〜請求項３の何れか１項に記載の階段利用促進システム。
【請求項５】
前記制御装置の前記選択手段は、前記階段利用履歴情報に含まれる階段の累積昇段数に応じて、歩行者に達成感を与える映像を複数の映像の中から選択する
請求項１〜請求項３の何れか１項に記載の階段利用促進システム。
【請求項６】
前記取得装置によって予め定めた期間内に歩行者の個人情報が複数取得された場合、前記制御装置の前記選択手段は、前記取得装置で取得された各々の個人情報と対応付けられた複数の歩行者からなる歩行者グループに含まれる何れか１人の歩行者における前記累積昇段数に応じた映像、又は前記歩行者グループに含まれるそれぞれの歩行者における前記累積昇段数に応じた複数の映像を選択する
請求項５記載の階段利用促進システム。
【請求項７】
前記制御手段の前記選択手段で複数の映像が選択された場合、前記制御装置の前記制御手段は、選択された複数の映像が、前記取得装置で歩行者の個人情報が取得された階段を昇る各々の歩行者に提示されるように前記映像装置を制御する
請求項６記載の階段利用促進システム。
【請求項８】
前記累積昇段数に応じた映像が建物の映像である
請求項５〜請求項７の何れか１項に記載の階段利用促進システム。
【請求項９】
前記累積昇段数に応じた映像が登山映像である
請求項５〜請求項７の何れか１項に記載の階段利用促進システム。
【請求項１０】
前記制御装置の前記選択手段は、予め設定した山の前記累積昇段数に対応した高さの位置を登る登山映像を複数の映像の中から選択する
請求項９記載の階段利用促進システム。
【請求項１１】
前記映像装置は、映像を投影する投影装置、映像を表示する液晶表示装置、または映像を表示する有機ＥＬ表示装置である
請求項１〜請求項１０の何れか１項に記載の階段利用促進システム。
【発明の詳細な説明】
【技術分野】
【０００１】
本発明は、階段利用促進システムに係り、より詳しくは、歩行者が楽しみながら自然に体を動かす習慣を身につけることができる階段利用促進システムに関する。
【背景技術】
【０００２】
近年、従業員の健康管理を経営的な視点で捉えて戦略的に取り組むことで、従業員の活力向上及び生産性の向上を実現する「健康経営」という概念が注目されている。
【０００３】
健康経営の視点から見た場合、就労中における従業員の運動量を増加させることが好ましく、そのため、例えばフロアの入退出管理を行うことで従業員の位置を把握し、従業員の移動距離に応じた消費カロリーを従業員に提示する入退出管理システムが開示されている。
【先行技術文献】
【特許文献】
【０００４】
【特許文献１】特開２０１１−３９６３１号公報
【発明の概要】
【発明が解決しようとする課題】
【０００５】
しかしながら、特許文献１に示された入退出管理システムの場合、従業員がフロア間の移動にエレベータ等を使用した場合であっても歩行したとみなされるため、従業員に正しい消費カロリーを提示することが困難である。また、健康に関心の低い従業員が、目的もなくカロリーを消費しようとしてフロア間を移動する回数を増やすことは考えにくいため、特許文献１に係る入退出管理システムが導入されたとしても、従業員が積極的に歩行し始めることはない。
【０００６】
一方、従業員は日常の業務に付随して会社内を移動するが、従業員の移動に伴う運動効果が最も高い場所は階段である。したがって、従業員がエレベータやエスカレータを利用する代わりに階段を積極的に利用するようになれば、特に運動のための時間を設けずとも、日常の業務の中で従業員の運動量をより増加させることができる。
【０００７】
本発明は上記事実に鑑みてなされたものであり、健康に関心の低い歩行者であっても、楽しみながら階段を利用することができる階段利用促進システムを提供することを目的とする。
【課題を解決するための手段】
【０００８】
上記目的を達成するために、本発明の階段利用促進システムは、歩行者が保持し、歩行者の個人情報が記憶されている個人情報記憶素子から歩行者の個人情報を取得する取得装置と、階段を昇る歩行者から見える位置に、歩行者に向けた映像を提示する映像装置と、前記取得装置で取得された個人情報と対応付けられた歩行者の階段を昇った履歴を表す階段利用履歴情報に応じた映像を、複数の映像の中から選択する選択手段、及び前記選択手段で選択された映像が、前記取得装置で歩行者の個人情報が取得された階段を昇る歩行者に提示されるように前記映像装置を制御する制御手段を備えた制御装置と、を有する。
【０００９】
このように、本発明の階段利用促進システムによれば、歩行者の階段利用履歴情報に応じた映像が、階段を昇っている歩行者に提示されるため、歩行者は映像を楽しみながら階段を利用することができる。
【００１０】
なお、本発明は、歩行者が階段の予め定めた箇所を通過していることを検知する検知センサを備え、前記制御手段は、前記検知センサで歩行者が検知された場合に、前記選択手段で選択された映像が、前記検知センサで検知された歩行者に提示されるように前記映像装置を制御してもよい。これにより、歩行者が階段を昇っているタイミングにあわせて映像を提示することができる。
【００１１】
また、本発明は、前記取得装置において、歩行者が保持している気圧センサから気圧値を更に取得し、前記制御装置の前記制御手段は、前記取得装置で取得した気圧値から歩行者が階段を昇っているか否かを判定してもよい。これにより、取得装置だけで階段を歩行する歩行者の進行方向を判定する場合と比較して、歩行者が階段を昇っているか否かを精度よく判定することができる。
【００１２】
また、本発明は、前記取得装置によって予め定めた期間内に歩行者の個人情報が複数取得された場合、前記制御装置の前記選択手段は、前記取得装置で取得された各々の個人情報と対応付けられた複数の歩行者の関係性に応じて、歩行者に達成感を与える映像を複数の映像の中から選択する。これにより、歩行者の関係性が反映されていない映像を選択する場合と比較して、各々の歩行者の連帯感を高めながら階段の利用を促すことができる。
【００１３】
また、本発明は、前記制御装置の前記選択手段において、前記階段利用履歴情報に含まれる階段の累積昇段数に応じて、歩行者に達成感を与える映像を複数の映像の中から選択する。これにより、階段を昇った高さを歩行者に映像として実感させることができる。
【００１４】
また、本発明は、前記取得装置によって予め定めた期間内に歩行者の個人情報が複数取得された場合、前記制御装置の前記選択手段は、前記取得装置で取得された各々の個人情報と対応付けられた複数の歩行者からなる歩行者グループに含まれる何れか１人の歩行者における前記累積昇段数に応じた映像、又は前記歩行者グループに含まれるそれぞれの歩行者における前記累積昇段数に応じた複数の映像を選択する。これにより、同じ歩行者グループであっても、異なる映像を提示することができる。
【００１５】
また、本発明は、前記制御手段の前記選択手段で複数の映像が選択された場合、前記制御装置の前記制御手段は、選択された複数の映像が、前記取得装置で歩行者の個人情報が取得された階段を昇る各々の歩行者に提示されるように前記映像装置を制御する。これにより、各々の歩行者の累積昇段数にあった映像を同時に提示することができる。
【００１６】
また、本発明は、前記累積昇段数に応じた映像として建物の映像が用いられる。これにより、階段の昇段数を数値で提示する場合と比較して、階段の昇段数をわかりやすく歩行者に伝えることができる。
【００１７】
また、本発明は、前記累積昇段数に応じた映像として登山映像が用いられる。これにより、階段の昇段数を数値で提示する場合と比較して、階段の昇段数をわかりやすく歩行者に伝えることができる。
【００１８】
また、本発明は、前記制御装置の前記選択手段において、予め設定した山の前記累積昇段数に対応した高さの位置を登る登山映像を複数の映像の中から選択する。これにより、歩行者の階段の利用に対して登山感覚を仮想的に与えることができるため、歩行者が階段を継続して利用するように促すことができる。
【００１９】
更に、本発明における前記映像装置は、映像を投影する投影装置、映像を表示する液晶表示装置、または映像を表示する有機ＥＬ表示装置である。これにより、静止画だけなく動画も歩行者に提示することができる。
【発明の効果】
【００２０】
本発明によれば、健康に関心の低い歩行者であっても、楽しみながら階段を利用することができる、という効果を有する。
【図面の簡単な説明】
【００２１】
【図１】階段利用促進システムの構成例を示す図である。
【図２】制御装置における電気系統の要部構成例を示す図である。
【図３】第１実施形態に係る階段利用促進処理の流れの一例を示すフローチャートである。
【図４】歩行者に提示される建物の映像の一例を示す図である。
【図５】歩行者に提示される登山映像の一例を示す図である。
【図６】歩行者に提示される応援メッセージ映像の一例を示す図である。
【図７】歩行者に提示されるランキング映像の一例を示す図である。
【図８】第２実施形態に係る階段利用促進処理の流れの一例を示すフローチャートである。
【図９】歩行者グループに提示される映像の一例を示す図である。
【発明を実施するための形態】
【００２２】
以下、図面を参照して、本発明を実施するための形態例について詳細に説明する。なお、同じ構成要素及び処理には全図面を通して同じ符合を付与し、重複する説明を省略する。
【００２３】
＜第１実施形態＞
まず、図１を参照して、本実施形態に係る階段利用促進システム１の構成について説明する。
【００２４】
図１に示すように、階段利用促進システム１は、ＩＤカード２、取得装置３、プロジェクタ４、検知センサ５、及び制御装置６を含み、取得装置３、プロジェクタ４、及び検知センサ５がそれぞれ制御装置６と接続された構成を有する。取得装置３、プロジェクタ４、及び検知センサ５は制御装置６と有線で接続されていても、無線で接続されていてもよい。
【００２５】
ＩＤカード２には、所有する歩行者の個人情報が記憶された個人情報記憶素子（以降、「記憶素子」という）、及び大気圧を測定する気圧センサが予め含まれており、例えば社員証又は身分証として会社等の組織に所属する各々の人に配布されている。歩行者は、例えば所属する会社等の建物内部を移動する場合にはＩＤカード２を携帯して移動し、組織の関係者であることを示す。
【００２６】
なお、気圧センサは必ずしもＩＤカード２に含まれている必要はなく、ＩＤカード２とは別に歩行者が所持するようにしてもよい。
【００２７】
取得装置３は、例えば無線を利用して、ＩＤカード２から歩行者の個人情報である歩行者ＩＤを取得する。具体的には、ＩＤカード２の記憶素子にブルートゥース（登録商標）の通信ユニットが接続されている場合、取得装置３はＩＤカード２に含まれる通信ユニットとの間でブルートゥース（登録商標）を用いた通信を行い、記憶素子から歩行者ＩＤを取得する。
【００２８】
なお、取得装置３は、無線を利用してＩＤカード２の記憶素子から歩行者の歩行者ＩＤを取得することができれば、どのような手法によって個人情報を取得してもよい。例えば、ＩＤカード２の記憶素子がＲＦＩＤ(Radio Frequency Identification)タグとして構成されている場合、取得装置３はＲＦＩＤリーダーを用いて、ＩＤカード２の記憶素子から歩行者ＩＤを取得してもよい。
【００２９】
取得装置３は、各々の階段の昇り口付近にそれぞれ設置されており、階段の昇り口を通過する歩行者の歩行者ＩＤをＩＤカード２の記憶素子から取得して制御装置６に送信する。この際、取得装置３は、歩行者ＩＤに加えて、気圧センサから気圧値も取得して制御装置６に送信する。
【００３０】
プロジェクタ４は、階段周辺の壁等に映像を投影することにより、歩行者に映像を提示する映像装置の一例であり、階段を昇る歩行者に映像が提示されるように設置される。プロジェクタ４は制御装置６と接続され、歩行者に提示する映像は制御装置６によって選択される。なお、プロジェクタ４は、階段周辺の壁に直接映像を投影せずに、壁に設置されたスクリーンに映像を投影するようにしてもよいことはいうまでもない。
【００３１】
検知センサ５は、歩行者が階段の予め定めた箇所を通過したか否かを検知するセンサであり、例えば赤外線センサ、及び超音波センサ等が用いられる。また、検知センサ５は、カメラで階段を通過する歩行者を撮影し、撮影した映像に対して画像処理を行うことで歩行者を検知するものであってもよい。
【００３２】
検知センサ５は制御装置６と接続され、検知結果を制御装置６に通知する。ここで、検知センサ５によって歩行者が検知される「階段の予め定めた箇所」とは、歩行者が階段を昇りきった場所よりも下の箇所、すなわち、階段の途中の箇所を指す。
【００３３】
制御装置６は、検知センサ５から歩行者を検知したとの検知結果を受け付け、検知した歩行者が階段を昇っていると判定した場合に、取得装置３で取得された歩行者ＩＤと対応付けられた歩行者の階段利用履歴情報を記憶装置から取得し、階段利用履歴情報に応じた映像を記憶装置から選択する。そして、制御装置６はプロジェクタ４を制御して、階段を昇っている歩行者に選択した映像を提示する。
【００３４】
上述した制御装置６は、例えばコンピュータを用いて実現することができる。図２は、コンピュータ１０を用いて構成された制御装置６における電気系統の要部構成例を示す図である。
【００３５】
コンピュータ１０は、ＣＰＵ（Central Processing Unit）１１、ＲＯＭ（Read Only Memory）１２、ＲＡＭ（Random Access Memory）１３、不揮発性メモリ１４、及び入出力インターフェース（Ｉ／Ｏ）１５を備える。そして、ＣＰＵ１１、ＲＯＭ１２、ＲＡＭ１３、不揮発性メモリ１４、及びＩ／Ｏ１５がバス１６を介して各々接続されている。なお、コンピュータ１０で用いられるオペレーションシステムに制約はない。
【００３６】
ＣＰＵ１１は、制御装置６における選択手段及び制御手段として機能する。ＲＯＭ１２には、例えばＣＰＵ１１によって実行されるプログラムが記憶され、ＲＡＭ１３は、ＣＰＵ１１の処理過程で生成されるデータを一時的に記憶するワークエリアとして使用される。
【００３７】
不揮発性メモリ１４は、不揮発性メモリ１４に供給される電力を遮断しても記憶した情報が維持される記憶装置の一例であり、例えば半導体メモリが用いられるがハードディスクを用いてもよい。
【００３８】
コンピュータ１０のＩ／Ｏ１５には、例えば取得装置３、プロジェクタ４、検知センサ５、及び通信装置７が接続される。
【００３９】
このうち通信装置７は、インターネット等の通信回線と接続する通信プロトコルを備えた装置であり、ＣＰＵ１１は通信装置７を制御することで、通信回線に接続された他のコンピュータ等の外部装置とデータ通信を行うことがある。
【００４０】
なお、Ｉ／Ｏ１５に接続される装置は図２に示した各装置に限られず、必要に応じて様々な装置が接続される。例えば、制御装置６に対するユーザの操作を電気信号に変換して、ユーザの指示をＣＰＵ１１に通知するマウス及びキーボード等の入力装置や、ＣＰＵ１１によって処理された情報をユーザに通知する液晶ディスプレイや有機ＥＬ(Electro Luminescence)ディスプレイ等の表示装置をＩ／Ｏ１５に接続してもよい。
【００４１】
また、制御装置６の機能を通信回線上に設けられたサーバを用いて、クラウドコンピューティングの形態で実現してもよい。
【００４２】
次に、図３を参照して、本実施の形態に係る制御装置６の動作について説明する。図３は、例えば制御装置６の電源が投入された場合に、ＣＰＵ１１によって実行される階段利用促進処理の流れの一例を示すフローチャートである。
【００４３】
階段利用促進処理を規定する階段利用促進プログラムは、例えば制御装置６のＲＯＭ１２に予め記憶されている。ＣＰＵ１１は、ＲＯＭ１２に記憶される階段利用促進プログラムを読み込んで階段利用促進処理を実行する。
【００４４】
なお、不揮発性メモリ１４には、歩行者毎の階段利用履歴情報が予め記憶されている。階段利用履歴情報とは、歩行者が階段を昇った履歴を含んだ情報であり、例えば階段を利用した回数、利用日時、利用した階段を特定するためのインデックス番号、及び階段の累積昇段数等が歩行者ＩＤと対応付けられて、歩行者ＩＤ毎に記録された情報である。ここで、階段を特定するためのインデックス番号は、階段毎に予め一意に付された、階段を特定する識別番号の一例である。
【００４５】
まず、ステップＳ１０において、ＣＰＵ１１は、取得装置３を介して何れかの歩行者のＩＤカード２から歩行者ＩＤを受信したか否か、すなわち、取得装置３が歩行者ＩＤを取得したか否かを判定する。歩行者ＩＤを受信していない場合にはステップＳ１０を繰り返し実行して、ＣＰＵ１１は歩行者ＩＤの受信を監視する。一方、歩行者ＩＤを受信した場合には、ステップＳ２０に移行する。なお、受信した歩行者ＩＤには、気圧センサで測定された気圧値、及び歩行者ＩＤを受信した際の取得装置３で観測された電波の受信強度が付加されている。
【００４６】
歩行者が階段の昇り口を歩行した場合、電波の到達状況によっては、それぞれ異なるフロアの階段に設置された複数の取得装置３で同じ歩行者の歩行者ＩＤを取得する場合があるが、歩行者から取得装置３までの距離によって歩行者ＩＤ取得時の受信強度が異なる。この場合、歩行者が歩行するフロアにおける階段の昇り口に設置された取得装置３で受信される電波の受信強度が最も強くなる。
【００４７】
したがって、ステップＳ２０において、ＣＰＵ１１は、歩行者ＩＤを受信した際の電波の受信強度が閾値以上であるか否かを判定する。電波の受信強度が閾値以上である場合、歩行者が取得装置３から予め定めた距離以内にいることを示している。ここで、「予め定めた距離」とは、歩行者が対象となる取得装置３が設置された階段の昇り口に接近し、階段を利用するとみなすことができる距離である。
【００４８】
当該閾値は、階段利用促進システム１の実機による実験や階段利用促進システム１の設計仕様に基づくコンピュータシミュレーション等により予め求められ、例えば不揮発性メモリ１４に予め記憶されている。
【００４９】
電波の受信強度が閾値未満の場合、取得装置３が設置されているフロアと同じフロアを歩行しているが、取得装置３から予め定めた距離以内まで近づいておらず、遠くの場所を歩行する歩行者の歩行者ＩＤを取得装置３が取得した場合が考えられる。また、電波の受信強度が閾値未満の場合、歩行者が存在するフロアとは異なる階のフロアの階段に設置された取得装置３で歩行者の歩行者ＩＤが受信された場合が考えられる。
【００５０】
したがって、電波の受信強度が閾値未満の場合、ステップＳ１０に移行して、ＣＰＵ１１は、取得装置３で歩行者ＩＤが受信されるまで歩行者ＩＤの受信を監視する。
【００５１】
一方、電波の受信強度が閾値以上の場合には、歩行者が歩行するフロアと同じフロアに設置された取得装置３で、取得装置３から予め定めた距離以内を歩行する歩行者の歩行者ＩＤ、すなわち、階段の昇り口を歩行する歩行者の歩行者ＩＤが受信されたことになる。したがって、ステップＳ３０に移行する。
【００５２】
ステップＳ３０において、ＣＰＵ１１は、ステップＳ１０で受信した歩行者ＩＤで表される歩行者における、受信強度が閾値以上の場合に受信された前回の歩行者ＩＤと共に受信した気圧値を不揮発性メモリ１４から取得する。
【００５３】
そして、ＣＰＵ１１は、不揮発性メモリ１４から取得した前回の気圧値と、ステップＳ１０で歩行者ＩＤと共に受信した今回の気圧値とを比較して、今回受信した気圧値が前回の気圧値より低下しているか否かを判定する。今回受信した気圧値が前回の気圧値以上である場合、歩行者は階段を下りてきたものと判定することができるため、ステップＳ１０に移行して、ＣＰＵ１１は、取得装置３で歩行者ＩＤが受信されるまで歩行者ＩＤの受信を監視する。
【００５４】
一方、今回受信した気圧値が前回の気圧値未満である場合、歩行者は階段を昇ろうとしていることになる。したがって、ステップＳ４０に移行する。このように、歩行者ＩＤと共に受信した気圧値を比較することで、歩行者が階段を下ろうとしているのか、それとも階段を昇ろうとしているのかを表す方向、すなわち、「進行方向」を判断することができる。
【００５５】
ステップＳ４０において、ＣＰＵ１１は、ステップＳ１０で受信した歩行者ＩＤと対応付けられた歩行者の階段利用履歴情報を、例えば不揮発性メモリ１４から取得する。
【００５６】
なお、ここでは一例として、階段利用履歴情報に含まれる情報、すなわち、階段を利用した回数、利用日時、階段のインデックス番号、及び階段の累積昇段数等は１週間毎にリセットされるものとするが、階段利用履歴情報をリセットする期間に制約はなく、例えば１日毎にリセットしたり、１ヶ月毎にリセットしたりしてもよい。また、不揮発性メモリ１４の記憶容量の残量がなくなるまで、階段利用履歴情報をリセットしないようにしてもよい。この場合、不揮発性メモリ１４における記憶容量の残量がなくなった時点で階段利用履歴情報がリセットされる。
【００５７】
ＣＰＵ１１は、階段利用履歴情報をリセットする前に通信装置７を介して、通信回線に接続された記憶装置に階段利用履歴情報のバックアップをとるようにしてもよい。また、階段利用履歴情報の記憶先は必ずしも不揮発性メモリ１４でなくてもよく、通信回線に接続された外部の記憶装置であってもよい。
【００５８】
ステップＳ５０において、ＣＰＵ１１は、ステップＳ４０で取得した階段利用履歴情報に応じた映像を、例えば不揮発性メモリ１４に予め記憶された複数の映像から選択する。
【００５９】
ＣＰＵ１１が選択する映像は、歩行者に階段を昇ったことに対する達成感を与える映像である。具体的には、ＣＰＵ１１は、階段の累積昇段数に相当する高さの建物が映った映像を選択する。
【００６０】
図４はＣＰＵ１１によって選択される映像の一例を示す図である。図４に示すように、歩行者が階段を利用して例えば１５７ｍの高さを昇った場合、当該高さに相当する建物として建物Ａの映像が選択される。なお、歩行者が階段を利用して昇った高さは、階段の累積昇段数に予め設定された階段１段あたりの高さを乗じることで算出される。
【００６１】
ステップＳ６０において、ＣＰＵ１１は、検知センサ５がオンしたか否か、すなわち、検知センサ５が階段の予め定めた箇所を通過する歩行者を検知したか否かを判定する。
【００６２】
検知センサ５がオンしていない場合には、歩行者はまだ階段の予め定めた箇所を通過していないことから、検知センサ５がオンするまでステップＳ６０の処理を繰り返し実行して、歩行者が階段の予め定めた箇所を通過するまで検知センサ５の出力を監視する。
【００６３】
一方、検知センサ５がオンした場合、ステップＳ７０に移行する。
【００６４】
ステップＳ７０において、ＣＰＵ１１は、ステップＳ５０で選択した映像が、ステップＳ１０で受信した歩行者ＩＤで表される歩行者に提示されるように、プロジェクタ４を制御する。具体的には、ＣＰＵ１１は、ステップＳ１０で受信した歩行者ＩＤを制御装置６に送信した取得装置３と同じフロアに設置されているプロジェクタ４を制御して、当該プロジェクタ４から映像を投影させる。これにより、階段を昇っている歩行者に映像が提示されることになる。
【００６５】
また、ＣＰＵ１１は、ステップＳ１０で受信した歩行者ＩＤと対応付けられた階段利用履歴情報を更新する。例えば、ＣＰＵ１１は、階段利用履歴情報に階段の利用日時を記録すると共に、階段を利用した回数を１つ増加する。また、ＣＰＵ１１は、歩行者が昇った階段のインデックス番号を記録すると共に、歩行者が昇っている階段の段数を累積昇段数に加算して、累積昇段数を更新する。階段毎の段数は例えば不揮発性メモリ１４に予め記憶され、ＣＰＵ１１は、不揮発性メモリ１４を参照することで歩行者が昇っている階段の段数を取得すればよい。
【００６６】
なお、ＣＰＵ１１は、プロジェクタ４で映像を投影してから所定時間経過後に、映像を停止するようにプロジェクタ４を制御する。ここで、「所定時間」とは、プロジェクタ４から映像を投影してから、少なくとも歩行者が階段を昇りきるのに要する時間を指す。したがって、歩行者は少なくとも階段を昇りきるまで、階段利用履歴情報に応じた映像を見ることができる。
【００６７】
以上により、図３に示した階段利用促進処理を終了する。
【００６８】
このように第１実施形態に係る階段利用促進システム１によれば、階段を昇る歩行者に対して、歩行者の階段利用履歴情報に応じた映像が提示される。
【００６９】
階段利用促進システム１は、検知センサ５がオンしたタイミングで歩行者に映像を提示するため、階段を昇っている途中の歩行者に対して、階段を昇ったことに対する達成感を与える映像が提示されることになる。したがって、歩行者は表示される映像を見て楽しみながら階段を昇ることができるため、階段利用促進システム１は、健康に関心の低い歩行者であっても継続して階段を利用するように促すことができる。
【００７０】
なお、歩行者に提示する映像は図４に示したような建物の映像に限られず、歩行者に階段を昇ったことに対する達成感を与える映像であればどのような映像であってもよい。
【００７１】
例えば、図５に示すように、歩行者が予め設定した山を登る登山映像であってもよい。階段利用促進システム１の不揮発性メモリ１４には、複数の山の登山映像が予め記憶されており、制御装置６は、歩行者が予め設定した山の登山映像であり、かつ、歩行者の累積昇段数に対応した高さの位置を登っている登山映像を不揮発性メモリ１４から選択し、選択した登山映像が歩行者に提示されるようにプロジェクタ４を制御する。
【００７２】
すなわち、歩行者の累積昇段数に応じて歩行者に提示される山の景色が変化するため、歩行者は、自分が登りたい山を擬似的に登山している気分を味わうことができる。この際、図５に示すように、山頂までの残りの高さを示すようにすれば、歩行者は登頂を目指そうとするため、歩行者に対して継続して階段を利用するように促すことができる。
【００７３】
また、階段利用促進システム１は、応援メッセージを含む複数の映像の中から、階段を昇る歩行者の累積昇段数に応じた応援メッセージ映像を選択して、歩行者に提示するようにしてもよい。
【００７４】
図６は、応援メッセージ映像の一例を示す図である。例えば歩行者の累積昇段数が、統計上から得られた、階段の利用が不足しているとみなすことができる予め定めた昇段閾値よりも小さい場合、当該歩行者は運動に積極的でないと考えられる。したがって、階段利用促進システム１は、歩行者が階段を利用することをあきらめてしまわないように、「NEVER GIVE UP!!!」といった応援メッセージ映像を選択して、歩行者に提示する。
【００７５】
ここでは一例として、歩行者の累積昇段数に応じた応援メッセージ映像を選択する例について説明したが、複数の応援メッセージ映像の中から、１つの応援メッセージ映像をランダムに選択して歩行者に提示するようにしてもよい。
【００７６】
更に、図７に示すように、階段利用促進システム１は、例えば累積昇段数が多い歩行者から順に順位付けを行い、例えば順位、歩行者名、及び歩行者の累積昇段数を含むランキング映像を歩行者に提示してもよい。これによって、歩行者は自分の順位を知ることができるため、競争心があおられ、歩行者に階段を利用する頻度を増やすように促すことができる。
【００７７】
この他、歩行者に階段を昇ったことに対する達成感を与える映像の例としては、歩行者に興味を抱かせる映像、及び階段を利用した場合にのみ表示される映像も含まれる。歩行者に興味を抱かせる映像としては、例えば天気予報や占い情報といった、少なくとも日毎に更新される情報を含む映像が用いられる。階段を利用した場合にのみ表示される映像は、例えば階段の累積昇段数に応じて内容が変化してもよい。
【００７８】
なお、歩行者に階段を昇ったことに対する達成感を与える映像は静止画であっても動画であってもよい。また、図４、図５、及び図６に示したように、映像に文字が含まれていてもよい。
【００７９】
階段利用促進システム１は、歩行者に運動量を測定するためのウエアラブルデバイスのような特殊な装置を装着させることもなく、また、スマートフォンやタブレットといった携帯端末に歩行者の運動量を測定するアプリケーションをダウンロードさせることもなく、歩行者の階段利用履歴情報だけから階段を昇る歩行者の運動量を把握することができる。
【００８０】
健康に関心の低い歩行者ほど、健康に関心のある歩行者と比較して、ウエアラブルデバイスの装着率、又は運動量を測定するアプリケーションのダウンロード率が低くなる傾向がある。したがって、歩行者の運動量の把握にウエアラブルデバイスや携帯端末のアプリケーションが必要となるシステムでは、積極的に運動をして欲しい健康に関心の低い歩行者ほどシステムへの参加率が低くなる。
【００８１】
一方、ウエアラブルデバイスも携帯端末へのアプリケーションのダウンロードも必要のない階段利用促進システム１は、健康に関心の低い歩行者を巻き込んで、歩行者に楽しみながら自然に体を動かす習慣を身につけさせることができる。
【００８２】
なお、階段利用促進システム１の制御装置６は、歩行者が所有する携帯端末といった情報機器からの要求に従い、情報機器で自分の階段利用履歴情報が閲覧できるように、階段利用履歴情報を情報機器に送信するようにしてもよい。この場合、歩行者は、階段を昇っている期間以外の時間帯であっても、階段利用履歴情報を閲覧することができる。更に、階段利用促進システム１の制御装置６は、階段利用履歴情報に応じて階段を昇っている歩行者に提示した映像と同じ映像を情報機器に送信するようにしてもよい。
【００８３】
＜第１実施形態の変形例１＞
上述した階段利用促進システム１では、歩行者が保持している気圧センサを用いて、階段における歩行者の進行方向を判定した。しかしながら、階段における歩行者の進行方向の判定には、必ずしも気圧センサは必要でない。
【００８４】
例えば制御装置６のＣＰＵ１１は図３のステップＳ３０において、気圧センサから得られる気圧値に基づいて階段における歩行者の進行方向を判定する代わりに、歩行者ＩＤを受信した取得装置３の変遷に基づいて階段における歩行者の進行方向を判定してもよい。
【００８５】
具体的には、ＣＰＵ１１は階段利用履歴情報を参照して、ステップＳ１０で受信した歩行者ＩＤに対して、受信強度が閾値以上で当該歩行者ＩＤが受信された前回の取得装置３を特定する。例えば歩行者が利用した階段を特定するためのインデックス番号を参照すれば、歩行者が前回どのフロアのどの階段を昇ったか知ることができる。
【００８６】
一例として、３階のフロアにある階段に設置された取得装置３において、閾値以上の受信強度で歩行者ＩＤが取得された場合、当該歩行者ＩＤが前回２階のフロアにある階段に設置された取得装置３において閾値以上の受信強度で受信されたとする。
【００８７】
この場合、歩行者は前回２階にいたことになるため、歩行者は３階のフロアにある階段を昇っていると推定することができる。
【００８８】
このようにして、制御装置６は気圧センサで測定された気圧値を用いることなく、歩行者ＩＤが受信された取得装置３の遷移状況から、階段における歩行者の進行方向を判定することができる。
【００８９】
階段利用促進システム１から気圧センサが不要となるため、気圧センサを用いて階段における歩行者の進行方向を判定する場合と比較して、階段利用促進システム１の構築に係る費用を抑制することができる。更に、階段の異なる高さの位置にそれぞれ検知センサ５を設置し、下側に設置した検知センサ５で歩行者を検知した後、上側に設置した検知センサ５で歩行者を検知した場合、歩行者が階段を昇っていると推定することができる。
【００９０】
＜第１実施形態の変形例２＞
上述した階段利用促進システム１では、検知センサ５で歩行者が階段を通過するタイミングを見計らって、プロジェクタ４から階段利用履歴情報に応じた映像を投影した。しかしながら、階段利用促進システム１に検知センサ５は必ずしも必要でない。
【００９１】
例えば、取得装置３の設置位置を調整して、歩行者が階段の予め定めた箇所を通過した場合に階段を通過する歩行者の歩行者ＩＤが閾値以上の受信強度で取得されるようにしておけば、検知センサ５で歩行者を検知することなく、歩行者が階段を昇るタイミングを見計らって、プロジェクタ４から階段利用履歴情報に応じた映像を投影することができる。すなわち、図３に示したステップＳ６０の処理が不要となる。
【００９２】
＜第２実施形態＞
第１実施形態に係る階段利用促進システム１では、階段を昇る歩行者が１人の場合について説明したが、複数の歩行者が階段を昇る場合も想定される。
【００９３】
したがって、第２実施形態では、複数の歩行者が階段を昇る場合にも対応可能な階段利用促進システム１Ａについて説明する。
【００９４】
階段利用促進システム１Ａの構成は、図１に示した第１実施形態に係る階段利用促進システム１の構成において、制御装置６が制御装置６Ａに置き換えられた点以外は階段利用促進システム１と同じ構成を有する。また、制御装置６Ａにおける電気系統の要部構成も、図２に示した第１実施形態に係る制御装置６における電気系統の要部構成例と同じ構成例を有する。
【００９５】
次に、図８を参照して、本実施の形態に係る制御装置６Ａの動作について説明する。図８は、例えば制御装置６Ａの電源が投入された場合に、ＣＰＵ１１によって実行される階段利用促進処理の流れの一例を示すフローチャートである。
【００９６】
図８に示すフローチャートが、図３に示した第１実施形態に係る階段利用促進処理のフローチャートと異なる点は、ステップＳ３５が追加され、ステップＳ４０がステップＳ４０Ａに置き換えられた点であり、他の処理は図３と同じである。
【００９７】
なお、予め定めた期間内に歩行者の歩行者ＩＤが複数取得された場合に、ステップＳ１０の判定処理が肯定判定となるものとする。
【００９８】
複数の歩行者が同じ歩行者グループのメンバーである場合、各々の歩行者は集団で歩行する傾向がある。したがって、「予め定めた期間」は、当該期間内に取得された複数の歩行者ＩＤで表される歩行者が、同じ歩行者グループのメンバーであるとみなすことができる長さに設定される。予め定めた期間は「グループ判定期間」とも呼ばれ、階段利用促進システム１Ａの実機による実験や階段利用促進システム１Ａの設計仕様に基づくコンピュータシミュレーション等により予め求められ、例えば不揮発性メモリ１４に予め記憶されている。
【００９９】
グループ判定期間内に受信した各々の歩行者ＩＤについて、それぞれ受信時における受信強度が閾値以上であり、かつ、それぞれの歩行者ＩＤと共に受信した気圧値が前回の気圧値より低下している場合、ステップＳ３５が実行される。
【０１００】
ステップＳ３５において、ＣＰＵ１１は、受信した複数の歩行者ＩＤの中から、何れか１人の歩行者の歩行者ＩＤを選択する。選択された歩行者ＩＤで表される歩行者は、グループ判定期間内に階段を昇っている歩行者グループを代表する歩行者として扱われるため、以降では「代表歩行者」と呼ぶ。
【０１０１】
代表歩行者の歩行者ＩＤの選択方法には特に制約はない。例えば、グループ判定期間内の最初に受信した歩行者ＩＤ、又はグループ判定期間内に受信した各々の歩行者ＩＤの中で、歩行者ＩＤと対応付けられた階段利用履歴情報の累積昇段数が最も多い歩行者ＩＤを、代表歩行者の歩行者ＩＤとして選択してもよい。
【０１０２】
ステップＳ４０Ａにおいて、ＣＰＵ１１は、ステップＳ３５で選択した代表歩行者の歩行者ＩＤと対応付けられた階段利用履歴情報を、例えば不揮発性メモリ１４から取得する。
【０１０３】
以降、既に説明したように、ステップＳ５０でＣＰＵ１１は、ステップＳ４０Ａで取得した階段利用履歴情報に応じた映像を、例えば不揮発性メモリ１４に予め記憶された複数の映像から選択し、検知センサ５がオンしたタイミングで、選択した映像が階段を昇っている歩行者に提示されるようにプロジェクタ４を制御する。
【０１０４】
このように第２実施形態に係る階段利用促進システム１Ａによれば、グループ判定期間内に同じ取得装置３で複数の歩行者ＩＤを受信した場合、図４に示したような、代表歩行者における階段の累積昇段数に相当する高さの建物が映った映像が、階段を昇っている歩行者グループに提示される。
【０１０５】
階段利用促進システム１Ａが歩行者グループに提示する映像は図４に示したような建物の映像に限られず、歩行者グループに階段を昇ったことに対する達成感を与える映像であればどのような映像であってもよい。例えば、図５に示したような、代表歩行者が予め設定した山を登る登山映像であってもよい。
【０１０６】
また、図６に示したように、複数の応援メッセージ映像の中から、代表歩行者の累積昇段数に応じた応援メッセージ映像を選択して、歩行者グループに提示するようにしてもよい。
【０１０７】
更に、図７に示したように、階段利用促進システム１Ａは、例えば累積昇段数が多い歩行者から順に順位付けを行い、例えば順位、代表歩行者名、及び代表歩行者の累積昇段数を含むランキング映像を歩行者グループに提示してもよい。
【０１０８】
プロジェクタ４から投影される映像は、歩行者グループのメンバーの間で健康に関する会話を交わすきっかけを与えることから、歩行者グループのメンバーに対して、階段を利用することに対する意識を植え付ける効果が期待できる。
【０１０９】
なお、第１実施形態の変形例１及び変形例２で説明したように、階段利用促進システム１Ａにおいても気圧センサ及び検知センサ５は必ずしも必要ではない。歩行者ＩＤが受信された取得装置３の遷移状況から、階段における歩行者グループの進行方向を判定することができる。また、取得装置３の設置位置を調整して、歩行者が階段の予め定めた箇所を通過した場合に階段を通過する各々の歩行者の歩行者ＩＤが閾値以上の受信強度で取得されるようにしておけば、歩行者グループが階段を昇るタイミングで、プロジェクタ４から映像を投影することができる。
【０１１０】
＜第２実施形態の変形例１＞
上述した階段利用促進システム１Ａでは、歩行者グループのうち、代表歩行者の階段利用履歴情報に基づいた映像を表示するものであったが、歩行者グループに含まれる各々の歩行者の階段利用履歴情報に基づいた映像を表示するようにしてもよい。
【０１１１】
階段利用促進システム１ＡのＣＰＵ１１は、図８に示したステップＳ３０を実行した後、ステップＳ３５で代表歩行者の歩行者ＩＤを選択することなくステップＳ４０Ａに移行する。
【０１１２】
ステップＳ４０Ａにおいて、ＣＰＵ１１は、ステップＳ１０で受信した各々の歩行者ＩＤと対応付けられたそれぞれの歩行者の階段利用履歴情報を、例えば不揮発性メモリ１４から取得する。そして、ステップＳ５０において、ＣＰＵ１１は、ステップＳ４０Ａで取得した階段利用履歴情報に応じた映像を、例えば不揮発性メモリ１４に予め記憶された複数の映像から歩行者毎に選択し、選択した各々の映像をプロジェクタ４から投影させる。
【０１１３】
図９は、歩行者グループに提示される映像の一例を示す図である。図９に示すように、歩行者グループに提示される映像は、１つの画面が歩行者グループに含まれる歩行者の数にあわせて分割される。分割された各々の領域には、各々の歩行者における階段の累積昇段数に応じた映像、例えば階段の累積昇段数に相当する建物の映像がそれぞれ表示される。この他、画面は分割せずに、各々の歩行者における階段の累積昇段数に応じた映像を重ね合わせて、歩行者グループに提示してもよい。
【０１１４】
ここでは一例として建物の映像を表示する例について説明したが、登山映像、応援メッセージ映像、又はランキング映像を表示するようにしてもよい。また、歩行者Ａには建物の映像、歩行者Ｂには登山映像というように、歩行者毎に表示する映像の種類を変えるようにしてもよい。この場合、制御装置６Ａは、歩行者が予め設定した映像の種類に基づいて、選択する映像の種類を歩行者毎に決定すればよい。
【０１１５】
分割された画面のそれぞれの領域に、歩行者グループに含まれる各歩行者の階段利用履歴情報に応じた映像が表示されるため、代表歩行者の階段利用履歴情報に応じた映像のみが表示される場合と比較して、各々の歩行者における映像に対する注目度合いを高めることができる。
【０１１６】
なお、制御装置６Ａは、歩行者グループに提示する映像を１つの映像（例えば応援メッセージ映像）とし、当該映像に対して、各々の歩行者における階段の累積昇段数の順位を重ね合わせるようにしてもよい。
【０１１７】
＜第２実施形態の変形例２＞
上述した階段利用促進システム１Ａでは、歩行者グループの代表歩行者、又は各々の歩行者の階段利用履歴情報に基づいた映像を表示するものであったが、歩行者グループに含まれる各々の歩行者の関係性に応じて、それぞれの歩行者に達成感を与える映像を選択し、選択した映像を歩行者グループに提示するようにしてもよい。
【０１１８】
例えば階段利用履歴情報に含まれる情報として、各々の歩行者の関係性を様々な観点に従って規定した歩行者情報を、制御装置６Ａの不揮発性メモリ１４に予め記憶しておく。
【０１１９】
歩行者情報には、例えば所属部署、役職、入社年度、出身学校、及び趣味といった歩行者の個人属性が歩行者ＩＤと対応付けられて含まれており、制御装置６Ａは、グループ判定期間内に同じ取得装置３で取得された複数の歩行者ＩＤに対して、歩行者情報を参照し、各々の歩行者ＩＤと対応付けられた複数の歩行者の関係性を取得する。
【０１２０】
歩行者グループに含まれる各々の歩行者の関係性としては、同じ部署のメンバー、上司と部下、同期入社、又は同じ学校の出身等の関係性が挙げられるが、これに限られず様々な関係性が適用される。
【０１２１】
制御装置６Ａは、歩行者グループに含まれる各々の歩行者の関係性に応じて、各々の歩行者に達成感を与える映像を予め用意された複数の映像の中から選択する。例えば、各々の歩行者の関係性が同期入社の場合、各々が友人であることが想定されるため、「みんなで力を合わせて午後もがんばろう！」というような応援メッセージ映像を選択する。
【０１２２】
このように階段利用促進システム１Ａによって、歩行者グループに含まれる各々の歩行者の関係性に応じて選択された映像が提示されることで、各々の歩行者に連帯感が生まれるため、みんなで階段を利用する機会が増える効果が期待される。
【０１２３】
以上、各実施の形態を用いて本発明について説明したが、本発明は各実施の形態に記載の範囲に限定されない。本発明の要旨を逸脱しない範囲で各実施の形態に多様な変更又は改良を加えることができ、当該変更又は改良を加えた形態も本発明の技術的範囲に含まれる。例えば、本発明の要旨を逸脱しない範囲で処理の順序を変更してもよい。
【０１２４】
また、各実施の形態では、制御装置６、６Ａが選択した映像をプロジェクタ４から投影したが、歩行者への映像の提示方法はこれに限られない。例えば液晶表示装置、又は有機ＥＬ表示装置を用いて歩行者に映像を提示するようにしてもよい。この場合、プロジェクタ４を用いる場合と比較して、より鮮明な映像を歩行者に提示することができる。
【０１２５】
また、検知センサ５の代わりに階段を通過する歩行者を撮影するカメラを用いる場合、ＩＤカード２が配布されている各々の歩行者の顔の画像を予め記憶しておけば、例えば公知のパターンマッチング技術等を用いてカメラが撮影した映像に対して歩行者の顔認証を行うことで、階段を昇る歩行者を特定することができる。したがって、この場合には歩行者の個人情報が記憶されたＩＤカード２、及びＩＤカード２から歩行者の個人情報を取得する取得装置３が不要になることがある。すなわち、階段を通過する歩行者を撮影するカメラは、取得装置３及び検知センサ５の機能をあわせた役割を担い、歩行者の顔自体がＩＤカード２としての役割を担うことになる。
【０１２６】
更に、各実施の形態では、一例として階段利用促進処理をソフトウエアで実現する形態について説明したが、図３及び図８に示したフローチャートと同等の処理を、例えばＡＳＩＣ（Application Specific Integrated Circuit）に実装し、ハードウエアで処理させるようにしてもよい。この場合、階段利用促進処理をソフトウエアで実現する場合と比較して、処理の高速化が期待できる。
【０１２７】
また、上述した各実施の形態では、階段利用促進プログラムがＲＯＭ１２にインストールされている形態を説明したが、これに限定されるものではない。本発明に係る階段利用促進プログラムは、コンピュータ読み取り可能な記憶媒体に記録された形態で提供することも可能である。例えば、本発明に係る階段利用促進プログラムを、ＣＤ(Compact Disc)−ＲＯＭ、又はＤＶＤ(Digital Versatile Disc)−ＲＯＭ等の光ディスクに記録した形態で提供してもよい。また、本発明に係る階段利用促進プログラムを、ＵＳＢ(Universal Serial Bus)メモリ及びフラッシュメモリ等の半導体メモリに記録した形態で提供してもよい。更に、制御装置６、６Ａがインターネット等の通信回線に接続される場合、通信回線に接続された記憶装置から、本発明に係る階段利用促進プログラムをダウンロードするようにしてもよい。
【符号の説明】
【０１２８】
１（１Ａ）・・・階段利用促進システム
２・・・ＩＤカード
３・・・取得装置
４・・・プロジェクタ
５・・・検知センサ
６（６Ａ）・・・制御装置
７・・・通信装置
１０・・・コンピュータ
１１・・・ＣＰＵ
１２・・・ＲＯＭ
１３・・・ＲＡＭ
１４・・・不揮発性メモリ
【図１】
2019114145.tif 000003
【図２】
2019114145.tif 000004
【図３】
2019114145.tif 000005
【図４】
2019114145.tif 000006
【図５】
2019114145.tif 000007
【図６】
2019114145.tif 000008
【図７】
2019114145.tif 000009
【図８】
2019114145.tif 000010
【図９】
2019114145.tif 000011